(57)【要約】【課題】ＥＰＧ画面上のどの番組とどの番組が同一番組であるかを一目瞭然に表示することにより、ＥＰＧ画面上でユーザが同一番組を見落とすことのない使い勝手の良い放送受信装置を提供することである。【解決手段】放送受信装置１０は、ＥＰＧデータを取得するＥＰＧ取得部２６と、ＥＰＧデータを加工するＭＰＵ２７と、予め動画を記憶したＲＯＭ１８と、ＥＰＧ画面を表示するディスプレイ２５とを備え、ＭＰＵ２７は、ＥＰＧデータ中に同一番組がある場合、同一番組の何れかが放送中であれば、該放送中の番組を受信し、ＥＰＧ画面の同一番組の番組欄に該受信した番組の映像を表示し、同一番組の何れもが放送中でなければ、ＲＯＭ１８に記憶されている動画をＥＰＧ画面の同一番組の番組欄に表示するように処理する構成とする。【選択図】図１
2007214649.tif 000002
【特許請求の範囲】
【請求項１】
ＥＰＧ（電子番組表）データを取得するＥＰＧ取得部と、ＥＰＧデータを加工するＭＰＵと、予め動画を記憶したＲＯＭと、ＥＰＧ画面を表示するディスプレイとを備えた放送受信装置において、
前記ＭＰＵは、ＥＰＧデータ中に同一番組がある場合、
同一番組の何れかが放送中であれば、該放送中の番組を受信し、ＥＰＧ画面の同一番組の番組欄に該受信した番組の映像を表示し、
同一番組の何れもが放送中でなければ、前記ＲＯＭに記憶されている動画をＥＰＧ画面の同一番組の番組欄に表示するように処理することを特徴とする放送受信装置。
【請求項２】
ＥＰＧデータを取得するＥＰＧ取得部と、ＥＰＧデータを加工する制御部とを備えた放送受信装置において、
前記制御部は、ＥＰＧデータ中の同一番組にはＥＰＧ画面上でそれぞれの番組欄に同一の画像を表示するように処理することを特徴とする放送受信装置。
【請求項３】
前記画像が動画であることを特徴とする請求項２記載の放送受信装置。
【請求項４】
ＥＰＧデータ中の同一番組の何れかが放送中である場合、前記動画として該番組の放送中の映像を用いることを特徴とする請求項３記載の放送受信装置。
【請求項５】
前記画像が静止画であることを特徴とする請求項２記載の放送受信装置。
【請求項６】
ＥＰＧデータ中の同一番組の何れかが放送中である場合、前記静止画として該番組の放送中の画像を用いることを特徴とする請求項５記載の放送受信装置。
【発明の詳細な説明】
【技術分野】
【０００１】
本発明は、放送受信装置におけるＥＰＧの表示技術に関するものである。
【背景技術】
【０００２】
現在のテレビ放送には、アナログ放送とデジタル放送がある。これらの放送電波には、それぞれ方式は異なるが、ＥＰＧ（電子番組表：Electronic Program Guide）のデータが含まれている。
【０００３】
例えば、地上波アナログ放送では、各チャンネルの番組表をまとめて、特定のテレビ放送電波のＶＢＩ（垂直帰線消去時間：Vertical Blanking Interval）を使用してＥＰＧが伝送される。また、デジタル放送では、各々のチャンネルに対応する画像データや音声データと共に、ＥＰＧが伝送される。このＥＰＧを利用して、ユーザの選局操作を支援する様々な技術が提供されている。
【０００４】
ところで、近年チャンネル数の増加に伴い、番組によっては違うチャンネルを使って再放送や同時放送などを行うことがある。そのため、再放送や同時放送の放送時間やチャンネル等の情報を新聞や雑誌等の番組欄やＥＰＧ画面から得ようとすると、同じ日に再放送がある場合でも見逃してしまうことがある。更に、再放送日が異なる日に行われる場合には見逃す可能性が高くなる。また、見たい番組の再放送がある場合でも気付かないことがよくある。
【０００５】
そこで特許文献１には、ＥＰＧ上で、視聴済み番組の同一番組や、見逃し番組の再放送については表示色を変える番組表示サービスシステムのユーザ端末が開示されている。
【０００６】
また特許文献２には、同一名の番組がある場合に、チャンネルの並び順を入れ替え、同一番組を隣接するように表示する放送受信装置が開示されている。
【０００７】
また特許文献３には、ＥＰＧ画面に動画を表示する放送受信装置が開示されている。
【特許文献１】特開２００４−１２８６２１号公報
【特許文献２】特開２００４−２２９１８８号公報
【特許文献３】特開２００４−２９７８２８号公報
【発明の開示】
【発明が解決しようとする課題】
【０００８】
しかしながら、特許文献１のＥＰＧ画面では、視聴済み番組や見逃し番組以外の番組については、チャンネル間でどの番組同士が同一番組であるかは見やすく表示されない。また、特許文献２のＥＰＧ画面では、同一番組を隣接して表示しているが、ＥＰＧ画面中のどの番組が隣接した同一番組かは特に見やすく表示されているわけではない。また、特許文献３では、ＥＰＧ画面に動画を表示しているだけで、同一番組を見やすく表示する工夫はなされていない。
【０００９】
本発明は、ＥＰＧ画面上のどの番組とどの番組が同一番組であるかを一目瞭然に表示することにより、ＥＰＧ画面上でユーザが同一番組を見落とすことのない使い勝手の良い放送受信装置を提供することを目的とする。
【課題を解決するための手段】
【００１０】
上記目的を達成するために本発明は、ＥＰＧデータを取得するＥＰＧ取得部と、ＥＰＧデータを加工する制御部とを備えた放送受信装置において、前記制御部は、ＥＰＧデータ中の同一番組にはＥＰＧ画面上でそれぞれの番組欄に同一の画像を表示するように処理することを特徴とする。
【００１１】
この構成によると、ＥＰＧ画面上で同一番組の番組欄には同一の画像が表示される。
【００１２】
上記放送受信装置において、前記画像が動画であることを特徴とする。この構成によると、ＥＰＧ画面上で同一番組の番組欄には同一の動画が表示され、ユーザが同一番組を識別しやすくなる。
【００１３】
また上記放送受信装置において、ＥＰＧデータ中の同一番組の何れかが放送中である場合、前記動画として該番組の放送中の映像を用いることを特徴とする。
【００１４】
この構成によると、ＥＰＧ画面上で同一番組の番組欄には現在放送中の同一番組の映像が表示され、ユーザが同一番組を識別しやすくなる。
【００１５】
また上記放送受信装置において、前記画像が静止画であることを特徴とする。この構成によると、ＥＰＧ画面上で同一番組の番組欄には同一の静止画が表示され、ユーザが同一番組を識別しやすくなる。
【００１６】
また上記放送受信装置において、ＥＰＧデータ中の同一番組の何れかが放送中である場合、前記静止画として該番組の放送中の画像を用いることを特徴とする。
【００１７】
この構成によると、ＥＰＧ画面上で同一番組の番組欄には現在放送中の同一番組の静止画が表示され、ユーザが同一番組を識別しやすくなる。
【００１８】
上記の本発明を具体化すると、ＥＰＧデータを取得するＥＰＧ取得部と、ＥＰＧデータを加工するＭＰＵと、予め動画を記憶したＲＯＭと、ＥＰＧ画面を表示するディスプレイとを備えた放送受信装置において、前記ＭＰＵは、ＥＰＧデータ中に同一番組がある場合、同一番組の何れかが放送中であれば、該放送中の番組を受信し、ＥＰＧ画面の同一番組の番組欄に該受信した番組の映像を表示し、同一番組の何れもが放送中でなければ、前記ＲＯＭに記憶されている動画をＥＰＧ画面の同一番組の番組欄に表示するように処理する構成となる。
【発明の効果】
【００１９】
本発明によれば、ＥＰＧデータ中に同一番組がある場合、ＥＰＧ画面上で同一番組の番組欄には同一の画像が表示されるので、ＥＰＧ画面上のどの番組とどの番組が同一番組であるかを一目瞭然に表示することができ、ユーザが同一番組を見落とすことがなくなる。従って、使い勝手の良い放送受信装置が提供される。
【発明を実施するための最良の形態】
【００２０】
以下、放送受信装置としてデジタル放送受信装置を例に説明する。図１は、デジタル放送受信装置１０の構成を示すブロック図である。１１はユーザが電源のオン／オフや選局やＥＰＧ画面の表示等の各種操作を行う操作部である。なお、操作部１１は遠隔操作可能なリモコンとしてもよい。１２はデジタル放送波を受信するアンテナ部であり、１３はアンテナ部１２で受信したデジタル放送波から所望のチャンネルの放送を選局するチューナ部、１４はチューナ部１３からの出力波をデジタル信号に変換するＡ／Ｄ変換部、１５はその出力をデータに復調する復調部である。
【００２１】
また、１６は復調部１５で復調されたデータを種別毎に分離して出力するＴＳデマルチプレクサであり、１７はその分離されたデータを記憶するＲＡＭ、１８はデジタル放送受信装置１０の動作に必要な情報を記憶しているＲＯＭである。１９はＲＡＭ１７に記憶されたデータ中の音声データをアナログ化するＤ／Ａ変換部であり、２０はＤ／Ａ変換部１９によりアナログ化された音声データを出力する音声信号出力部、２１は音声を放音するスピーカである。
【００２２】
また、２２はＲＡＭ１７に記憶されたデータ中の映像データを圧縮前の映像データに復号化するＭＰＥＧ（Motion Picture Experts Group）２デコード部であり、２３はその復号化された映像データと後述するＥＰＧ取得部２６から送られてくるＥＰＧデータとをＮＴＳＣ復号テレビジョン信号に復号化するＮＴＳＣエンコード部、２４はそのＮＴＳＣ復号テレビジョン信号を出力する映像信号出力部、２５は映像を表示するディスプレイである。
【００２３】
また、２６はＲＡＭ１７に記憶されたデータ中のＥＰＧデータを解析し、ＮＴＳＣエンコード部２３へ出力するＥＰＧ取得部である。そして、２７はデジタル放送受信装置１０の動作を制御するＭＰＵである。
【００２４】
次に、デジタル放送受信装置１０が放送を受信するときの動作について説明する。まず、送信されてきたデジタル放送波をアンテナ部１２で受信する。操作部１１が選局操作されると、チューナ部１３は受信するトランスポンダの切換を行う。受信したデジタル放送波はＡ／Ｄ変換部１４によりデジタル化され、復調部１５によりデータが復調される。
【００２５】
もともと、デジタル信号は送信側からＴＳ（Transport Stream）パケットの形で伝送されてくる。ＴＳパケットは映像データ、音声データ、ＥＰＧデータ等を含む制御データからなり、この制御データをＴＳデマルチプレクサ１６により、分離して出力し、ＲＡＭ１７に記憶する。そして、ＲＡＭ１７から読み出した音声データをＤ／Ａ変換部１９によりアナログ化し、音声信号出力部２０を介してスピーカ２１から音声を放音する。
【００２６】
また、ＲＡＭ１７から読み出した映像データをＭＰＥＧ２デコード部２２により圧縮前の映像データに復号化し、ＮＴＳＣエンコード部２３によりＮＴＳＣ復号テレビジョン信号に復号化し、映像信号出力部２４を介してディスプレイ２５に映像を表示する。更に、ＲＡＭ１７から読み出したＥＰＧデータをＥＰＧ取得部２６で解析し、ＮＴＳＣエンコード部２３によりＮＴＳＣ復号テレビジョン信号に復号化し、映像信号出力部２４を介してディスプレイ２５に映像を表示する。
【００２７】
次に、デジタル放送受信装置１０がＥＰＧデータを用いて行う処理について説明する。デジタル放送のＥＰＧには、ＳＤＴ（Service Description Table）という編成チャンネル名称・放送事業者の名称等を表すデータ、ＥＩＴ（Event Information Table）という放送予定の番組を表すデータ、ＴＯＴ（Time Offset Table）という放送予定の日付時刻を示すデータ等が含まれる。
【００２８】
図２は、ＥＰＧデータの処理動作を示すフローチャートである。ユーザにより操作部１１が操作されてＥＰＧ画面の表示を指示されると、ＭＰＵ２７は、ステップＳ１０において操作部１１からのＥＰＧ画面表示指示を検出する。次に、ステップＳ１１へ進んでＭＰＵ２７はＲＡＭ１７からＥＰＧデータを取り出す。そして、ステップＳ１２においてＭＰＵ２７はＥＰＧデータ中に同一番組があるかを検索する。この検索には、ＥＩＴのデータを用いることができ、タイトルや登場人物や番組コードを基に同一番組であるかを判定すればよい。同一番組は１つのタイトルに対して２つ以上見つかる場合もあるし、同一番組の組が複数見つかる場合もある。
【００２９】
ステップＳ１２からステップＳ１３へ進んで、同一番組が見つかったか否かを判定する。ステップＳ１３において同一番組が見つかった場合は、ステップＳ１４へ進んで該当する同一番組の何れかが放送中であるか否かを判定する。一方、ステップＳ１３において同一番組が１組も見つからなかった場合は、ステップＳ１７へ進んで、ＥＰＧデータはＥＰＧ取得部２６、ＮＴＳＣエンコード部２３、映像信号出力部２４を介してディスプレイ２５に従来と同様のＥＰＧ画面として表示される。
【００３０】
ステップＳ１４においては、見つかった同一番組の何れかが現在放送中であるか否かを判定する。ステップＳ１４において現在放送中の番組がある場合は、ステップＳ１５へ進んで放送中の番組を受信する。続いて、ステップＳ１６へ進んで、受信した番組の映像をＥＰＧデータの同一番組の番組欄に動画として組み込む。そして、ステップＳ１７へ進んで、動画が組み込まれたＥＰＧデータは、ＥＰＧ取得部２６、ＮＴＳＣエンコード部２３、映像信号出力部２４を介してディスプレイ２５に表示される。
【００３１】
図３に、受信した動画を組み込んだＥＰＧ画面の一例を示す。図中、Ａ〜Ｇは番組名を示す。番組Ａの番組欄には現在放送中の番組Ａの動画が表示されている。番組ＡはこのＥＰＧ画面に表示される範囲では３回放送されることがわかる。
【００３２】
一方、ステップＳ１４において現在放送中の番組がない場合は、ステップＳ１８へ進んでＲＯＭ１８に予め記憶されている動画を読み出す。続いて、ステップＳ１６へ進んで、読み出した動画をＥＰＧデータの同一番組の番組欄に組み込み、ステップＳ１７へ進んで動画が組み込まれたＥＰＧ画面を表示する。なお、ＲＯＭ１８に記憶されている動画は、例えば番組のジャンル（ニュースやドラマなど）毎に異なる動画とし、読み出す場合はその番組のジャンルに応じて読み出すようにしてもよい。
【００３３】
また、ステップＳ１８に替えて、以前に同一番組が放送されている場合は、そのときに放送された映像をＲＡＭ１７から読み出すようにしてもよい。この場合、同一番組が最初に放送される際に所定時間録画しておく必要がある。そして、ＥＰＧ画面上に表示する際は録画である旨を表示すればわかりやすい。
【００３４】
このように、ＥＰＧ画面上に表示される番組中に同一番組が複数ある場合は、同一番組の番組欄に同一の動画を表示することにより、ＥＰＧ画面上のどの番組とどの番組が同一番組であるかを一目瞭然に表示することができ、ユーザは同一番組を見落とすことがなくなる。従って、使い勝手の良い放送受信装置が提供される。
【００３５】
なお、上記実施形態では、ＥＰＧ画面上で同一番組の番組欄に動画を表示しているが、同一番組であることが見やすく表示されればその表示手段には特に限定はなく、動画に替えて静止画を表示してもよい。この場合の静止画は、現在放送中の同一番組の画像を用いたり、ＲＯＭ１８に予め記憶されている画像を用いたりすればよい。
【産業上の利用可能性】
【００３６】
本発明の放送受信装置は、上記実施形態で説明したデジタル放送受信装置をはじめ、アナログ放送の受信装置にも適用することができる。そして、この放送受信装置はテレビジョン受信装置、ビデオ装置、ＤＶＤレコーダ、ＨＤＤレコーダ等に搭載することができる。
【図面の簡単な説明】
【００３７】
【図１】本発明のデジタル放送受信装置の構成を示すブロック図である。
【図２】本発明のＥＰＧデータの処理動作を示すフローチャートである。
【図３】本発明のＥＰＧ画面の一例を示す図である。
【符号の説明】
【００３８】
１０    デジタル放送受信装置（放送受信装置）
１８    ＲＯＭ
２５    ディスプレイ
２６    ＥＰＧ取得部
２７    ＭＰＵ
【図１】
2007214649.tif 000003
【図２】
2007214649.tif 000004
【図３】
2007214649.tif 000005